(57)【要約】【課題】接続部と端子片との固定箇所への負荷を低減するとともに、接続不良を抑制することができる接続部材を備えた電源装置を提供する。【解決手段】電源装置１は電池集合体２と測定手段と接続部材９とを備えている。電池集合体２は複数の電池４を備えている。電池４は正極６と負極７とを備えている。互いに隣り合う正極６と負極７とが接続部材９により接続されている。接続部材９は導電性の接続部１０と端子片１５とを備えている。接続部材９は端子片１５の固着面を接続部１０の電極側の面に固着し、且つ端子片１５の接続面が、該接続面の引掛り部を接続部１０の電極から離れた側の面に当接させて、接続部１０の電極から離れた側の面から立設する。そして端子片１５が接続部１０に取り付けられる。【選択図】図１
2008130490.tif 000002
【特許請求の範囲】
【請求項１】
電池集合体の互いに隣り合う一つの電池の正の電極と他の電池の負の電極とを接続する接続部と、前記接続部に取り付けられて電圧を検出する測定手段と接続する端子片と、を備えた接続部材において、
前記端子片は、前記接続部の一方の面に固着される固着面と、前記固着面から屈曲し且つ前記接続部の他方の面側に延出する接続面と、を有する略Ｌ字状の板状部材であり、
前記接続面に前記接続部の前記他方の面と当接する引掛り部が設けられていることを特徴とする接続部材。
【請求項２】
前記接続面が、前記固着面から屈曲する屈曲部と該屈曲部の幅よりも幅広に形成された幅広部とを有し、且つ、
前記接続部が、該接続部の前記端子片が跨ぐ箇所に前記屈曲部の幅より幅広で且つ前記幅広部の幅より幅狭に切り欠かれて該屈曲部を通す通し部を有しており、
前記幅広部の前記屈曲部寄りの面が、前記通し部の側部に当接して前記引掛り部を成していることを特徴とする請求項１に記載の接続部材。
【請求項３】
前記接続面が、前記固着面から屈曲する屈曲部と該屈曲部から前記電池集合体に向かって突設された当接片を有するとともに、
前記当接片の前記固着面寄りの面が、前記接続部の前記他方の面に当接して前記引掛り部を成していることを特徴とする請求項１に記載の接続部材。
【請求項４】
前記接続面が、前記固着面から屈曲する屈曲部と該屈曲部から前記電池集合体に向かって屈曲する第二屈曲部と該第二屈曲部から立設する第三屈曲部とを有するとともに、
前記第二屈曲部の前記屈曲部寄りの面が、前記接続部の前記他方の面に当接して前記引掛り部を成していることを特徴とする請求項１に記載の接続部材。
【請求項５】
一端に正の電極と他端に負の電極を有する電池を複数備えた電池集合体と、該電池集合体を構成する各電池の正の電極と負の電極との電位差を測定するための測定手段と、前記電池集合体と前記測定手段とを接続する接続部材と、を備えた電源装置において、
前記接続部材として請求項１乃至請求項４のうちいずれか一項に記載の接続部材を備えたことを特徴とする電源装置。
【発明の詳細な説明】
【技術分野】
【０００１】
本発明は、例えば、複数の電池が直列に接続されて得られ、かつ内燃機関と電動機との双方の動力で走行可能なハイブリット車や電気自動車などに用いられる接続部材と当該接続部材を備えた電源装置に関する。
【背景技術】
【０００２】
内燃機関と電動機との双方の動力で走行可能なハイブリット車や電気自動車などには、電源装置が搭載される。電源装置は、複数の電池と、測定手段と、接続部材を備えている。測定手段は、各電池の正の電極と負の電極との電位差を測定して、複数の電池の残量などを測定するとともに、複数の電池を備えた電池集合体の残量などを測定する。接続部材は、互いに隣り合う電池のうちの一つの電池の正の電極と他の電池の負の電極とを接続して電池集合体の複数の電池を直列に接続するとともに、測定手段と接続されて電池集合体と測定手段とを接続する。
【０００３】
従来、上述した接続部材として、互いに隣り合う各電池の正極と負極とを接続する接続部と該接続部に取り付けられて前記測定手段と接続する端子片とが提案されている。
【０００４】
前述した接続部と端子片とを固定する際には、特許文献１などに示すように、前述した接続部材として、側方から見てＬ字状の平板に形成された端子片と該端子片が取り付けられる所要の回路形状に形成された平板回路体とが設けられている。
【０００５】
前述した構成の接続部材は、端子片の長手方向の一端が平板回路体の表面と平行に重ねられ、他端が平板回路体の表面から立設するように取り付けられる。そして、平板回路体の表面と平行に重ねられた端子片の一端が、平板回路体の所要位置に溶接されて固定される。
【特許文献１】特開２００４−１０４９４６号公報
【発明の開示】
【発明が解決しようとする課題】
【０００６】
前述した従来の接続部材は、平板回路体の表面と平行に重ねられた端子片の一端を平板状回路部の所要位置に溶接によって固定されて、端子片が平板回路体に取り付けられている。即ち、平板状回路体の表面と端子片の該平板回路体の表面に平行に重ねられる一端との双方の平面同士を溶接によって固定している。このため、平板状回路体と端子片との固定箇所に対して、平板状回路体と端子片との双方が離れる方向に荷重がかかった場合、固定箇所にかかる負荷が大きくなり、固定箇所が剥がれてしまう虞があった。
【０００７】
したがって、本発明の目的は、接続部と端子片とが溶接等によって固着される固着箇所への負荷を低減して、接続部と端子片との接続不良を抑制することができるとともに、電池集合体と測定手段とを接続する接続部材を備えた電源装置を提供することにある。
【課題を解決するための手段】
【０００８】
前記課題を解決し目的を達成するために、請求項１に記載された発明は、電池集合体の互いに隣り合う一つの電池の正の電極と他の電池の負の電極とを接続する接続部と、前記接続部に取り付けられて電圧を検出する測定手段と接続する端子片と、を備えた接続部材において、前記端子片は、前記接続部の一方の面に固着される固着面と、前記固着面から屈曲し且つ前記接続部の他方の面側に延出する接続面と、を有する略Ｌ字状の板状部材であり、前記接続面に前記接続部の前記他方の面と当接する引掛り部が設けられていることを特徴としている。
【０００９】
請求項２に記載された発明は、請求項１に記載の発明において、前記接続面が、前記固着面から屈曲する屈曲部と該屈曲部の幅よりも幅広に形成された幅広部とを有し、且つ、前記接続部が、該接続部の前記端子片が跨ぐ箇所に前記屈曲部の幅より幅広で且つ前記幅広部の幅より幅狭に切り欠かれて該屈曲部を通す通し部を有しており、前記幅広部の前記屈曲部寄りの面が、前記通し部の側部に当接して前記引掛り部を成していることを特徴としている。
【００１０】
請求項３に記載された発明は、請求項１に記載の発明において、前記接続面が、前記固着面から屈曲する屈曲部と該屈曲部から前記電池集合体に向かって突設された当接片を有するとともに、前記当接片の前記固着面寄りの面が、前記接続部の前記他方の面に当接して前記引掛り部を成していることを特徴とする。
【００１１】
請求項４に記載された発明は、請求項１に記載の発明において、前記接続面が、前記固着面から屈曲する屈曲部と該屈曲部から前記電池集合体に向かって屈曲する第二屈曲部と該第二屈曲部から立設する第三屈曲部とを有するとともに、前記第二屈曲部の前記屈曲部寄りの面が、前記接続部の前記他方の面に当接して前記引掛り部を成していることを特徴とする。
【００１２】
前記課題を解決し目的を達成するために、請求項５に記載された発明は、一端に正の電極と他端に負の電極を有する電池を複数備えた電池集合体と、前記電池集合体を構成する各電池の正の電極と負の電極との電位差を測定するための測定手段と、前記電池集合体と前記測定手段とを接続する接続部材と、を備えた電源装置において、前記接続部材として請求項１乃至請求項４のうちいずれか一項に記載の接続部材を備えたことを特徴としている。
【００１３】
請求項１に記載された発明によれば、端子片が、接続部の一方の面に固着する固着面と該固着面から屈曲して接続部の他方の面側に延出する接続面とを有するＬ字状の板状部材であるとともに、接続面に接続部の他方の面と当接する引掛り部が設けられている。このため、接続部に直交する方向の荷重を端子片の接続面に設けられた引掛り部で受けることができ、接続部の一方の面と固着された固着面の固着箇所への負荷を低減することができる。よって、接続部と端子片とを確実に固定することができる。
【００１４】
請求項２に記載された発明によれば、接続面が、固着面から屈曲する屈曲部と該屈曲部の幅よりも幅広の幅広部とを有するとともに、幅広部の屈曲部寄りの面が接続部の端子片が跨ぐ箇所に切り欠かれて屈曲部の幅よりも幅広で且つ幅広部よりも幅狭な該屈曲部を通す通し部の側部に当接して引掛り部を成している。このため、接続部の通し部の側部に当接する接続面の幅広部の屈曲部寄りの面が、接続部の他方の面と当接する引掛り部を成しているので、接続部に直交する方向の荷重を接続面の幅広部の屈曲部寄りの面で受けることができ、接続部の一方の面と固着された固着面の固着箇所への負荷を低減することができる。よって、接続部と端子片とを確実に固定することができる。
【００１５】
請求項３に記載された発明によれば、接続面が、固着面から屈曲する屈曲部と該屈曲部から電池集合体に向かって突設した当接片の固着面寄りの面が、接続部の他方の面に当接して引掛り部を成している。このため、屈曲部の当接片の固着面寄りの面が、接続部の他方の面と当接する引掛り部を成しているので、接続部に直交する方向の荷重を屈曲部の当接片の固着面寄りの面で受けることができ、接続部の一方の面と固着された固着面の固着箇所への負荷を低減することができる。よって、接続部と端子片とを確実に固定することができる。
【００１６】
請求項４に記載された発明によれば、接続面が、固着面から屈曲する屈曲部と該屈曲部から電池集合体に向かって屈曲する第二屈曲部と該第二屈曲部から立設する第三屈曲部とを有するとともに、第二屈曲部の屈曲部寄りの面が接続部の他方の面に当接して引掛り部を成している。このため、接続面の第二屈曲部の屈曲部寄りの面が、接続部の他方の面と当接する引掛り部を成しているので、接続部に直交する方向の荷重を接続面の第二屈曲部の屈曲部寄りの面で受けることができ、接続部の一方の面と固着された固着面の固着箇所への負荷を低減することができる。よって、接続部と端子片とを確実に固定することができる。
【００１７】
請求項５に記載された発明によれば、電源装置は、請求項１乃至請求項４のうちいずれか一項に記載の接続部材が設けられた測定手段を備えている。このため、接続部に直交する方向の荷重がかかった際に、接続部と端子片との固着箇所への負荷を低減することで、接続部と端子片とを確実に固定することができる。即ち、接続部と端子片との接続不良を抑制する接続部材によって電池集合体と測定手段とを接続することで、電池集合体の各電池の正の電極と負の電極との電位差を確実に測定することができる。
【発明の効果】
【００１８】
以上説明したように請求項１に記載された発明によれば、接続部に直交する方向の荷重を端子片の接続面に設けられた引掛り部で受けることによって、接続部の一方の面と固着された固着面の固着箇所への負荷を低減することができ、接続部と端子片とを確実に固定することができる。したがって、接続部と端子片との接続不良を抑制することができる。
【００１９】
請求項２に記載された発明によれば、接続部の通し部の側部に当接する接続面の幅広部の屈曲部寄りの面が、接続部の他方の面と当接する引掛り部を成しているので、接続部に直交する方向の荷重を接続面の幅広部の屈曲部寄りの面で受けることができる。よって、接続部の一方の面と固着された固着面の固着箇所への負荷を低減することができ、接続部と端子片とを確実に固定することができる。したがって、接続部と端子片との接続不良を抑制することができる。
【００２０】
請求項３に記載された発明によれば、屈曲部の当接片の固着面寄りの面が、接続部の他方の面と当接する引掛り部を成しているので、接続部に直交する方向の荷重を屈曲部の当接片の固着面寄りの面で受けることができる。よって、接続部の一方の面と固着された固着面の固着箇所への負荷を低減することができ、接続部と端子片とを確実に固定することができる。したがって、接続部と端子片との接続不良を抑制することができる。
【００２１】
請求項４に記載された発明によれば、接続面の第二屈曲部の屈曲部寄りの面が、接続部の他方の面と当接する引掛り部を成しているので、接続部に直交する方向の荷重を接続面の第二屈曲部の屈曲部寄りの面で受けることができる。よって、接続部の一方の面と固着された固着面の固着箇所への負荷を低減することができ、接続部と端子片とを確実に固定することができる。したがって、接続部と端子片との接続不良を抑制することができる。
【００２２】
請求項５に記載された発明によれば、前述した請求項１乃至請求項４に記載された接続部材を備えているので、接続部に直交する方向の荷重がかかった際に、接続部と端子片との固着箇所への負荷を低減することで、接続部と端子片とを確実に固定することができる。即ち、接続部と端子片との接続不良を抑制する接続部材によって電池集合体と測定手段とを接続する。そして、電池集合体と測定手段と双方を接続する接続部材とを備えた電源装置は、電池集合体の各電池の正の電極と負の電極との電位差を確実に測定することができる。
【発明を実施するための最良の形態】
【００２３】
本発明の実施形態にかかる電源装置を、図１乃至図３を参照して説明する。図１に示す電源装置１は、内燃機関と電動機との双方の駆動力で走行可能なハイブリッド車や、電動機の駆動力によって走行可能な電気自動車に搭載される。
【００２４】
本発明の電源装置１は、図１に示すように、電池集合体２と、後述する各電池４の正極６と負極７との電位差を測定するための図示しない測定手段と、該測定手段と接続されて電池集合体２と測定手段とを接続する接続部材９と、を備えている。電池集合体２は、複数の電池４を備えている。電池４は、方体状の電池本体５と、正の電極（以下正極と呼ぶ）６と、負の電極（以下負極と呼ぶ）７と、を備えている。
【００２５】
正極６は、電池本体５の一端に設けられている。負極７は、電池本体５の他端に設けられている。正極６と負極７とは、角柱状に形成されており、前記電池本体５の一つの端面（以下一端面と呼び、図１などに示す）８から同方向に突出している。正極６と負極７とは、互いに並行（平行）に配されている。
【００２６】
複数の電池４は、正極６と負極７とが互いに隣り合いかつ前記一端面８が互いに同一平面上に位置する状態で、一方向（図１中の矢印Ｈ）に沿って並べられている。互いに隣り合う電池４同士は、正極６と負極７とが互いに隣り合っている。即ち、複数の電池４は、正極６と負極７とが交互に逆向きとなる状態で重ねられている。
【００２７】
図示しない測定手段は、接続部材９によって電池集合体２と接続されて前述したように並べられた各電池４の正極６と負極７双方の電圧を検出して電位差を測定するとともに、各電池４の電位差を測定する。接続部材９は、各電池４の正極６と負極７とに接続される接続部１０と該接続部１０に取り付けられる端子片１５とを備えている。接続部材９は、電池集合体２を構成する各電池４の正極６と負極７とが設けられた一端面８上に配されて、電池集合体２に取り付けられる。
【００２８】
接続部１０は、図１及び図２に示すように、導電性を有する金属からなり、互いに平行な一対の平行部１２，１３と、該一対の平行部１２，１３に直交する方向に延びて、該一対の平行部１２，１３同士を連結する連接部１１とを備え、平面形状が略コ字状に形成されている。接続部１０は、該一対の平行部１２，１３のうち一方の平行部１２が、互いに隣り合う電池４のうちの一つの電池４の正極６と接続し、他方の平行部１３が他の電池４の負極７と接続されている。そして、一つの電池４の正極６と他の電池４の負極７が、一対の平行部１２，１３同士が相対する側の面に接続されている。
【００２９】
さらに、接続部１０は、連結部１１の電池集合体２の一端面８から離れた側の端部の後述する端子片１５が跨ぐ箇所に該端部が切り欠かれて凹状に形成された通し部１４が設けられている。通し部１４は、後述する端子片１５の接続面１７の屈曲部１７ａを通す。
【００３０】
端子片１５は、導電性を有する金属からなる略Ｌ字状に形成された板状部材であり、固着面１６と、該固着面１６から屈曲して延出する接続面１７とを有している。固着面１６は、平面形状が矩形状に形成されるとともに、接続部１０の連結部１１の電極側の面に重ねられて溶接等によって固着される。接続面１７は、固着面１６に直行する方向に屈曲して連なっており、固着面１６が接続部１０の連結部１１の電極側の面に固着された際に該接続部１０の連結部１１の電極から離れた側の面から立設して延出する。また、接続面１７には、屈曲部１７ａと幅広部１７ｂとが設けられている。
【００３１】
屈曲部１７ａは、側方から見てＬ字状に形成されて、一端が固着面１６と連なり且つ他端が幅広部１７ｂと連なっている。屈曲部１７ａは、固着面１６の幅よりも幅が狭く形成されており、固着面１６の両端部との間には段差が設けられている。また、屈曲部１７ａは、接続部１０の連結部１１に設けられた通し部１４の幅よりも幅が狭く形成されている。
【００３２】
幅広部１７ｂは、屈曲部１７ａの他端と連なるとともに平面形状が矩形状に形成されている。幅広部１７ｂは、屈曲部１７ａの幅よりも幅が広く形成されており、屈曲部１７ａの幅方向の両端部から両側に向かって延びて該屈曲部１７ａの両端部との間に段差が設けられている。また、幅広部１７ｂは、接続部１０の連結部１１に設けられた通し部１４の幅よりも幅が広く形成されている。
【００３３】
そして、端子片１５は、固着面１６が接続部１０の連結部１１の電極側の面に重ねられて溶接等によって固着されて、接続面１７の屈曲部１７ａが接続部１０の連結部１１に設けられた通し部１４に通されるとともに接続面１７の幅広部１７ｂが接続部１０の連結部１１の電極から離れた側の面から立設される。このとき、屈曲部１７ａの両端部と幅広部１７ｂとの間の段差部分の該幅広部１７ｂの屈曲部１７ａ寄りの面１７ｂ１が、接続部１０の連結部１１の電極から離れた側の面と当接する。こうして、端子片１５が接続部１０に取り付けられて電気的に接続される。幅広部１７ｂの屈曲部１７ａ寄りの面１７ｂ１は、特許請求の範囲に記載の引掛り部を成している。
【００３４】
前述したように、端子片１５は、固着面１６が接続部１０の連結部１１の電極側の面に重ねられて溶接等によって固着されるとともに、接続面１７の屈曲部１７ａが接続部１０の連結部１１の通し部１４に通され且つ接続面１７の幅広部１７ｂの屈曲部１７ａ寄りの面１７ｂ１が接続部１０の連結部１１の電極から離れた側の面に当接して、接続面１７が接続部１０の連結部１１の電極から離れた側の面から立設される。そして、端子片１５が接続部１０に取り付けられる。
【００３５】
上記端子片１５が取り付けられた接続部１０は、該接続部１０の一対の平行部１２，１３が各電池４の正極６と負極７との双方と接続されて、接続部１０が正極６と負極７との双方と電気的に接続される。そして、電池集合体２の一端面８上に取り付けられるとともに、接続部１０の連結部１１が各電池４の並べられる一方向Ｈと平行に配される。そして、端子片１５と接続部１０とで構成された接続部材９は、電池集合体２に取り付けられる。
【００３６】
そして、各電池４の並べられる一方向Ｈの一端側に位置する一つの電池４の正極６と、前記各電池４の並べられる一方向Ｈの他端側に位置する他の電池４の負極７と、を除いて、接続部材９によって互いに隣り合う正極６と負極７が電気的に接続される。そして、複数の電池４が互いに直列に電気的に接続される。こうして、接続部材９によって電池集合体２と測定手段とが接続されて前述した電源装置１を構成する。
【００３７】
本実施形態によれば、電源装置１は、接続部材９の接続部１０の一端を正極６に接続し、かつ他端を負極７に接続して電池集合体２に取り付けられて、接続部１０に取り付けられた端子片１５が図示しない測定手段と接続される。そして、電池集合体２に取り付けられた接続部材９と図示しない測定手段が接続することで各電池４の正極６と負極７との電位差を測定することができる。
【００３８】
前述した接続部材９は、端子片１５の接続面１７に設けられた幅広部１７ｂの幅が屈曲部１７ａの幅よりも広く形成されて、幅広部１７ｂと屈曲部１７ａの両端部との間に段差が設けられるとともに、接続部１０の連結部１１の通し部１４の幅が、接続面１７の屈曲部１７ａの幅よりも広く且つ接続面１７の幅広部１７ｂの幅よりも狭く形成されている。
【００３９】
このため、端子片１５の固着面１６を接続部１０の連結部１１の電極側の面に重ねて溶接等によって固着するとともに、接続面１７の屈曲部１７ａを接続部１０の連結部１１の通し部１４に通した際に、幅広部１７ｂと屈曲部１７ａの両端部との間の段差部分の該幅広部１７ｂの屈曲部１７ａ寄りの面１７ｂ１を接続部１０の連結部１１の電極から離れた側の面に当接させることによって、接続部１０に直交する方向の荷重を接続面１７の幅広部１７ｂの屈曲部１７ａ寄りの面１７ｂ１で受けることができ、溶接等によって固着された固着面１６の固着箇所への負荷を低減することができる。よって、接続部１０と端子片１５とを確実に固定することができ、接続不良を抑制することができる。
【００４０】
そして、前述した接続部材９を用いて、測定手段は、電池集合体２の各電池４の正極６と負極７と電気的に接続される。したがって、接続部材９を正極６と負極７との双方と確実に接続することができることによって、接続部材９の接続不良を抑制することができる。このため、測定手段は、各電池４の正極６と負極７との電位差を確実に測定することができる。よって、電池集合体２の各電池４の正の電極６と負の電極７との電位差を確実に測定することができる電源装置が得られる。
【００４１】
前述した実施形態では、接続部材９の端子片１５に設けられた接続面１７の屈曲部１７ａの幅が、接続部１０の通し部１４の幅よりも幅狭に形成され、且つ、接続面１７の屈曲部１７ａの幅より幅広の幅広部１７ｂの幅が、接続部１０の通し部１４の幅よりも幅広に形成されて、そして、幅広部１７ｂと屈曲部１７ａの両端部との間の段差部分の該幅広部１７ｂの屈曲部１７ａ寄りの面１７ｂ１が、接続部１０の電極から離れた側の面と当接している。
【００４２】
しかしながら、本発明では、図５乃至図７に示すように、接続面１７に固着面１６から屈曲する屈曲部１７ａ’を設けて該屈曲部１７ａ’に一対の当接片１７ｃ，１７ｃを形成するとともに、一対の当接片１７ｃ，１７ｃそれぞれの固着面１６寄りの面１７ｃ１が接続部１０の電極から離れた側の面に当接する端子片１５としても良い。なお、図５乃至図７において、前述した実施形態と同一部分には、同一符号を付して説明を省略する。
【００４３】
図５乃至図７に示す場合では、端子片１５は、接続部１０の連結部１１の電極側の面に固着される固着面１６と、該固着面１６から屈曲して接続部１０の連結部１１の電極から離れた側の面側に延出する接続面１７とが設けられて、側方から見て略Ｌ字状に形成されている。固着面１６は、平板状に形成されるとともに接続面１７と連なっている。
【００４４】
接続面１７は、固着面１６から屈曲する屈曲部１７ａ’と、該屈曲部１７ａ’に一対の当接片１７ｃ，１７ｃが設けられている。接続面１７は、一対の当接片１７ｃ，１７ｃがそれぞれ屈曲部１７ａ’の幅方向の両端部から電池集合体２に向かって突出して断面形状がコ字状に形成されている。接続面１７は、接続部１０の連結部１１の電極から離れた側の面から立設している。
【００４５】
そして、端子部１５は、接続部１０の電極側の面に固着面１６が重ねられて溶接等によって固着されて、接続面１７が接続部１０の電極から離れた側の面から立設されるとともに、接続面１７の屈曲部１７ａ’に設けられた一対の当接片１７ｃ，１７ｃそれぞれの固着面１６寄りの面１７ｃ１が接続部１０の電極から離れた側の面に当接して、接続部１０に取り付けられて固定される。一対の当接片１７ｃ，１７ｃそれぞれの固着面１６寄りの面１７ｃ１は、特許請求の範囲に記載の引掛り部を成している。
【００４６】
図５乃至図７に示す場合では、端子片１５の接続面１７の屈曲部１７ａ’に設けられた一対の当接片１７ｃ，１７ｃそれぞれの固着面１６寄りの面１７ｃ１が、接続部１０の連結部１１の電極から離れた側の面に当接することで、接続部１０に直交する方向にかかる荷重に対して、溶接等によって固着された固着面１６の固着箇所にかかる負荷を軽減することができる。
【００４７】
本実施例では、端子片１５は、接続面１７の屈曲部１７ａ’に一対の当接片１７ｃ，１７ｃを設けて、接続部１０の電極側から離れた側の面に一対の当接片１７ｃ，１７ｃそれぞれの固着面１６寄りの面１７ｃ１を当接させて、接続部１０に取り付けている。しかしながら、本発明では、接続部１０の電極側から離れた側の面に当接する当接片であればいくつ設けられていてもよく、また如何なる形状にしても良い。
【００４８】
前述した本実施形態では、接続部材９の端子片１５の接続面１７の屈曲部１７ａ’に一対の当接片１７ｃ，１７ｃを設けるとともに、一対の当接片１７ｃ，１７ｃそれぞれの固着面１６寄りの面１７ｃ１が接続部１０の電極から離れた側の面に当接されている。しかしながら、本発明では、図８乃至図１０に示すように、端子片１５の接続面１７に固着面１６から屈曲する屈曲部１７ａ’と該屈曲部１７ａ’から屈曲する第二屈曲部１７ｄと該第二屈曲部１７ｄから屈曲する第三屈曲部１７ｅとを設けて、第二屈曲部１７ｄの屈曲部１７ａ寄りの面１７ｄ１が接続部１０の電極から離れた側の面に当接する端子片１５としても良い。なお、図８乃至図１０において、前述した実施例と同一部分には、同一符号を付して説明を省略する。
【００４９】
図８乃至図１０に示す場合では、端子片１５は、接続部１０の連結部１１の電極側の面に重ねられて溶接等によって固着される固着面１６と、該固着面１６から屈曲して接続部１０の連結部１１の電極から離れた側の面側に延出する接続面１７とが設けられている。固着面１６は、平板状に形成されるとともに接続面１７と連なっている。
【００５０】
接続面１７は、固着面１６から屈曲する屈曲部１７ａ’と、屈曲部１７ａから電池集合体２に向かって屈曲する第二屈曲部１７ｄと、第二屈曲部１７ｄから屈曲して屈曲部１７ａから離れる方向に延出する第三屈曲部１７ｅとが設けられて、側方から見て階段状に形成されている。屈曲部１７ａ’は、一端が固着面１６と連なり且つ他端が第二屈曲部１７ｄと連なっている。第二屈曲部１７ｄは、一端が屈曲部１７ａと連なり且つ他端が第三屈曲部１７ｅと連なっている。第三屈曲部１７ｅは、一端が第二屈曲部１７ｄと連なり且つ他端が自由端となっている。
【００５１】
そして、端子部１５は、接続部１０の電極側の面に固着面１６が重ねられて溶接などによって固着されて、接続面１７が、該接続面１７の第二屈曲部１７ｄの屈曲部１７ａ’寄りの面１７ｄ１が接続部１０の電極から離れた側の面に当接するとともに、第三屈曲部１７ｅが屈曲部１７ａ’から離れる方向に立設して、接続部１０に取り付けられて固定される。第二屈曲部１７ｄの屈曲部１７ａ’寄りの面１７ｄ１は、特許請求の範囲に記載の引掛り部を成している。
【００５２】
図８乃至図１０に示す場合では、端子片１５の接続面１７に設けられた第二屈曲部１７ｄの屈曲部１７ａ’寄りの面１７ｄ１が、接続部１０の連結部１１の電極から離れた側の面に当接することで、接続部１０に直交する方向にかかる荷重に対して溶接等によって固着された固着面１６の固着箇所にかかる負荷を軽減することができる。
【００５３】
なお、前述した実施形態は本発明の代表的な形態を示したに過ぎず、本発明は、実施形態に限定されるものではない。本発明の骨子を逸脱しない範囲で種々変形して実施することができる。
【図面の簡単な説明】
【００５４】
【図１】本発明の一実施形態にかかる電源装置を示す斜視図である。
【図２】図１に示された電源装置の接続部材を示す分解斜視図である。
【図３】図２に示された接続部材を組付けた状態を示す斜視図である。
【図４】図３に示された接続部材のIV−IV線に沿った断面図である。
【図５】図２に示された接続部材の変形例を示す分解斜視図である。
【図６】図５に示された接続部材を組付けた状態を示す斜視図である。
【図７】図６に示された接続部材のVII−VII線に沿った断面図である。
【図８】図２に示された接続部材のさらに別の変形例を示す分解斜視図である。
【図９】図８に示された接続部材を組付けた状態を示す斜視図である。
【図１０】図９に示された接続部材のX−X線に沿った断面図である。
【符号の説明】
【００５５】
１  電源装置
２  電池集合体
４  電池
６  正極
７  負極
９  接続部材
１０  接続部
１４  通し部
１５  端子片
１６  固着面
１７  接続面
１７ａ，１７ａ’  屈曲部
１７ｂ  幅広部
１７ｃ  当接片
１７ｄ  第二屈曲部
１７ｅ  第三屈曲部
１７ｂ１，１７ｃ１，１７ｄ１  面（引掛り部）
【図１】
2008130490.tif 000003
【図２】
2008130490.tif 000004
【図３】
2008130490.tif 000005
【図４】
2008130490.tif 000006
【図５】
2008130490.tif 000007
【図６】
2008130490.tif 000008
【図７】
2008130490.tif 000009
【図８】
2008130490.tif 000010
【図９】
2008130490.tif 000011
【図１０】
2008130490.tif 000012